(57)【要約】      （修正有）【課題】暗い場所でも化粧することができ、使用の便利性が極めて高く、且つ小型化および軽量化にすることができ、携帯性が極めて高い照明機能付き化粧ペンを提供する。【解決手段】収容空間を有し、外側に向いている円形チューブ１０４が設けてある化粧液容器１０と台座１２１を含み、台座の一面には円形チューブと螺合するねじ穴１２１１が設けてある化粧ペン本体１２と、弾性を持ち、化粧ペンロッド１２３に嵌められ、又はねじ穴内に設けられているシールリングの少なくとも一つを有し、化粧ペンロッドの方向に沿って台座を貫通し、他端に正負電極１４１，１４２が設けてある発光体１４の少なくとも一つを有し、一面がピン１３２に当接し、発光体に貼り付けられない電極と接触する電池１５と、一端が電池の自由端面に当接する弾性子１６と、収容空間が凹設してあり、弾性子から台座にかけてそれらを収納するカバーとを含む。【選択図】図２
0003138176.tif 000002
【実用新案登録請求の範囲】
【請求項１】
収容空間を有し、外側に向いている円形チューブが設けてある化粧液容器と、
台座を含み、前記台座の一面には前記円形チューブと螺合するねじ穴が設けてあり、前記ねじ穴内の底面の周縁には反対方向へ伸びた貫通孔が少なくとも一つ開設してあり、前記ねじ穴内の底面には外側に向いている化粧ペンロッドが設けてあり、前記化粧ペンロッドの自由端部に化粧子が設けてある化粧ペン本体と、
弾性を持ち、前記化粧ペンロッドに嵌め設けられてもいいし、前記ねじ穴内に設けてもよく、その一面の周縁には前記貫通孔に対応するピンが設けてあり、前記ピンは前記貫通孔を貫通して外側に突出可能であり、前記ピンの外側に突出する高さが隙間になるシールリングと、
少なくとも一つを有し、前記化粧ペンロッドの方向に沿って前記台座を貫通し、他端に正負電極が設けてあり、前記正負電極のうちの一つが前記台座のねじ穴の他端面の隙間に貼り付けられる発光体と、
少なくとも一つを有し、一面が前記ピンに当接し、前記正負電極のうちの前記発光体に貼り付けられない電極と接触する電池と、
一端が前記電池の自由端面に当接する弾性子と、
収容空間が凹設してあり、前記弾性子から前記台座にかけてそれらをカバーし、前記台座と嵌合し位置決められ、且つ前記弾性子が前記収容空間内の底面に押付けられるカバーと、を含むことを特徴とする、照明機能付き化粧ペン。
【請求項２】
前記化粧液容器の一側に鏡が嵌め設けてあることを特徴とする、請求項１に記載の照明機能付き化粧ペン。
【請求項３】
前記化粧液容器はケース上部を含み、前記ケース上部には外側に向いているチューブが設けてあり、前記チューブの周面に外ねじが設けてあり、前記チューブには軸方向に沿って貫通孔が開設してあり、前記貫通孔が前記化粧液容器の収容空間と連通することを特徴とする、請求項１に記載の照明機能付き化粧ペン。
【考案の詳細な説明】
【技術分野】
【０００１】
本考案は、照明機能付き化粧ペンに係り、特に、化粧しようとするときに、光線を発生してユーザーの顔などを照明することにより、暗い場所での化粧が容易になる照明機能付き化粧ペンに関するものである。
【背景技術】
【０００２】
従来の発光機能付き化粧ケースの構成は、化粧ケースに鏡と発光装置とが設けてあり、化粧しているときに、光線を発生してユーザーの顔などを照明することができ、図５に示すように、前記化粧ケースは、キャップ２０と、前記キャップ２０に収容される化粧ペン本体２１とを含み、前記キャップ２０の一側面に鏡２０１が設けてあり、前記化粧ペン本体２１の側面に貫通孔２１１が開設してあり、前記化粧ペン本体２１の発光装置２２のトリガー２２１が前記貫通孔２１１に収容され、前記二つのトリガー２２１が発光体２２２と電池組２２３とそれぞれ電気的に連接しており、これにより、前記発光装置２２の二つのトリガー２２１にユーザーの手が同時に接触すると、電子回路がオン状態になり、前記発光体２２２が発光するようになる。
【０００３】
上記化粧ケースにより化粧しようとする場合には、キャップ２０と化粧ペン本体２１とを分離して、一つの手はキャップ２０の鏡２０１を持って、他の手は前記発光装置２２の二つのトリガー２２１を同時に接触するように化粧ペン本体２１を持つことにより発光体２２２を発光させ、そうすると、暗い場所で化粧をすることができる。
【考案の開示】
【考案が解決しようとする課題】
【０００４】
しかしながら、化粧ペン本体２１を持つ手は、前記二つのトリガー２２１を同時に接触することが必要であるので、手が勝手に移動して前記二つのトリガー２２１を同時に接触しなくなると電子回路がオフ状態になり、発光体２２２が発光しなくなり、だが、前記二つのトリガー２２１を同時に接触する姿勢を長時間に維持すると、ユーザーの手が痛くなり、化粧を楽しむことができなくなる。
【課題を解決するための手段】
【０００５】
上記欠点を解決するためになされた本願の考案は、収容空間を有し、外側に向いている円形チューブが設けてある化粧液容器と、台座を含み、前記台座の一面には前記円形チューブと螺合するねじ穴が設けてあり、前記ねじ穴内の底面の周縁には反対方向へ伸びた貫通孔が少なくとも一つ開設してあり、前記ねじ穴内の底面には外側に向いている化粧ペンロッドが設けてあり、前記化粧ペンロッドの自由端部に化粧子が設けてある化粧ペン本体と、弾性を持ち、前記化粧ペンロッドに嵌め設けられてもいいし、前記ねじ穴内に設けてもよく、その一面の周縁には前記貫通孔に対応するピンが設けてあり、前記ピンは前記貫通孔を貫通して外側に突出可能であり、前記ピンの外側に突出する高さが隙間になるシールリングと、少なくとも一つを有し、前記化粧ペンロッドの方向に沿って前記台座を貫通し、他端に正負電極が設けてあり、前記正負電極のうちの一つが前記台座のねじ穴の他端面の隙間に貼り付けられる発光体と、少なくとも一つを有し、一面が前記ピンに当接し、前記正負電極のうちの前記発光体に貼り付けられない電極と接触する電池と、一端が前記電池の自由端面に当接する弾性子と、収容空間が凹設してあり、前記弾性子から前記台座にかけてそれらをカバーし、前記台座と嵌合し位置決められ、且つ前記弾性子が前記収容空間内の底面に押付けられるカバーと、を含むことを特徴とする照明機能付き化粧ペンであることを要旨としている。
【０００６】
本願の考案では、前記化粧液容器の一側に鏡が嵌め設けてあることを特徴とする請求項１に記載の照明機能付き化粧ペンであることを要旨としている。
【０００７】
本願の考案では、前記化粧液容器はケース上部を含み、前記ケース上部には外側に向いている本願の考案では、チューブが設けてあり、前記チューブの周面に外ねじが設けてあり、前記チューブには軸方向に沿って貫通孔が開設してあり、前記貫通孔が前記化粧液容器の収容空間と連通することを特徴とする請求項１に記載の照明機能付き化粧ペンであることを要旨としている。
【考案の効果】
【０００８】
本考案の照明機能付き化粧ペンによれば、化粧しようとするときに、光線を発生してユーザーの顔などを照明することにより、暗い場所での化粧が容易になる効果を有する。
【考案を実施するための最良の形態】
【０００９】
以下、添付図面を参照して本考案の好適な実施の形態を詳細に説明する。
【００１０】
まず、図１乃至図３を参照する。本考案の照明機能付き化粧ペンは、化粧液容器１０と、化粧ペン本体１２と、シールリング１３と、発光体１４と、電池１５と、弾性子１６と、カバー１７と、を含む。
【００１１】
前記化粧液容器１０は、立方体を呈し、その一側に鏡１０１が嵌め設けてあり、図３に示すように、一端面に化粧液を収容する収容空間が設けてあり、図２に示すように、前記収容空間の開口ではケース上部１０３がカバーしてあり、前記ケース上部１０３の収容空間１０２から遠ざかった端面には外側に向いている円形チューブ１０４が設けてあり、前記円形チューブ１０４の周面に外ねじが設けてあり、前記円形チューブ１０４の中心には貫通孔１０４１が開設してあり、図３に示すように、前記貫通孔１０４１が前記化粧液容器１０の収容空間１０２と連通し、ゴムスリーブ１１は、図２と図３に示すように、前記円形チューブ１０４の貫通孔１０４１内に設けられ、チューブ１１１を含み、前記チューブ１１１の中心に貫通孔１１２が開設してあり、前記チューブ１１１の一端の周縁には外側に向きながら水平に伸びた凸縁１１３が設けてあり、前記ゴムスリーブ１１のチューブ１１１が前記貫通孔１０４１に貫入され、これにより、前記凸縁１１３が円形チューブ１０４の貫通孔１０４１の外端縁に当接するようになる。
【００１２】
前記化粧ペン本体１２は、矩形断面の持つ台座１２１を有し、図２と図３に示すように、前記台座１２１の一面には外側に向いている位置決め用台座１２２が設けてあり、前記台座１２１の位置決め用台座１２２から遠ざかった一面にねじ穴１２１１が凹設してあり、前記位置決め用台座１２２には内側に向いている長形切り欠１２２１が開設してあり、図２に示すように、前記長形切り欠１２２１の両側には前記台座１２１を貫通した貫通孔１２１２が開設してあり、前記ねじ穴１２１１の内周面の開口に近接する箇所では内ねじ段が設けてあり、図３に示すように、前記ねじ穴１２１１内の底面の周縁には前記位置決め用台座１２２に向いている貫通孔１２１３が少なくとも一つ開設してあり、前記貫通孔１２１３が前記位置決め用台座１２２の内周面に位置され、本考案の実施例では、貫通孔１２１３が四つあり、前記四つの貫通孔１２１３が等距離を置いて設けられ、また、前記ねじ穴１２１１内の底面の中央には外側に向いている化粧ペンロッド１２３が設けてあり、前記化粧ペンロッド１２３の自由端部に化粧子１２４が設けてあり、前記化粧子１２４は、口紅ヘッドでもいいし、口紅ブラシでもいい。
【００１３】
前記シールリング１３は、弾性を持つゴムで作製されたものであり、円盤形状を呈し、中心に軸穴１３１が開設してあり、前記化粧ペンロッド１２３に嵌め設けられてもいいし、前記ねじ穴１２１１内に設けてもよく、その一面の周縁には前記貫通孔１２１３に対応するピン１３２が設けてあり、本考案の実施例では、前記ピン１３２は四つあり、前記四つのピン１３２が等距離を置いて設けられ、各ピン１３２の長さが前記貫通孔１２１３よりも長く、前記ねじ穴１２１１が前記円形チューブ１０４と螺合し、これにより、前記円形チューブ１０４の貫通孔１０４１に設けられたゴムスリーブ１１の端縁が前記シールリング１３に押付けるようになり、ゴムスリーブ１１の押付により前記シールリング１３とピン１３２との間には変形余裕がなくなり、だから、ピン１３２が貫通孔１２１３から突出して隙間を形成する。
【００１４】
前記発光体１４は、少なくとも一つを有し、本考案の実施例では、図２と図３に示すように、二つあり、前記発光体１４は発光ダイオード（ＬＥＤ）でもよく、各発光体１４の発光端から遠ざかった一端には正電極１４１と負電極１４２とが設けてあり、前記二つの発光体１４の正電極１４１と負電極１４２とが並列され、正電極１４１と負電極１４２とのうちの一つの電極が位置決め用台座１２２にある隙間に位置するように、前記発光体１４を各貫通孔１２１２に挿通する。
【００１５】
前記電池１５は、少なくとも一つを有し、本考案の実施例では、図２と図３に示すように、二つであり、前記二つの電池１５は、互いに堆積して二つの端面を形成し、そのうちの一つの電池１５の自由端面が前記隙間から遠ざかった電極に接触し、且つ他の電池１５の自由端面が前記ピン１３２に当接するように、位置決め用台座１２２の内部に設けられる。
【００１６】
前記弾性子１６は、図２と図３に示すように、バネであり、一端が前記電池１５の前記隙間から遠ざかった一端に当接し、他端がカバー１７に当接する。
【００１７】
前記カバー１７は、図２と図３に示すように、立方体を呈し、一端面に収容空間１７１が凹設してあり、前記弾性子１６から前記台座１２１にかけてそれらをカバーし、前記台座１２１と嵌合し位置決められ、且つ前記弾性子１６の自由端が前記収容空間１７１内の底面に押付けられる。
【００１８】
次に、本考案の使用状態を詳細に説明する。本考案の化粧ペンを使用しない場合には、図３に示すように、位置決め用台座１２２のねじ穴１２１１に、化粧液容器１０のケース上部１０３の円形チューブ１０４を螺合することにより、円形チューブ１０４にあるゴムスリーブ１１の凸縁１１３がシールリング１３を押付けて、シールリング１３がねじ穴１２１１内の底面に位置され、シールリング１３が押付けられたので、ピン１３２は、貫通孔１２１３から突出するようになり、且つ変形できなくなり、前記ピン１３２は電池１５を押し付けて弾性子１６を圧縮したと、電池１５は発光体１４の電極１４１と接触できなくなり、発光体１４は発光しなくなる。
【００１９】
また、本考案の化粧ペンを使用しようとする場合には、図４に示すように、位置決め用台座１２２のねじ穴１２１１から、化粧液容器１０のケース上部１０３の円形チューブ１０４を分離することにより、円形チューブ１０４にあるゴムスリーブ１１の凸縁１１３がシールリング１３を押付けなくなって、シールリング１３とピン１３２とが変形可能な状態になり、このとき、カバー１７内の弾性子１６がピン１３２の圧力の影響を受けなくて伸び始めるようになり、これにより、弾性子１６が電池１５を押し付けて移動して、電池１５がシールリング１３のピン１３２を移動して、図４Ａに示すように、ピン１３２とシールリング１３とが変形するようになり、ひいては電池１５が発光体１４の隙間にある電極と接触して、発光体１４は発光するようになる。
【００２０】
ユーザーが化粧しようとする場合には、化粧液容器１０にある鏡１０１を自分の顔などに向いて、化粧ペン本体１２にある発光体１４で発生する光線を自分に射出すると、より暗い場所でも化粧することができる。
【００２１】
また、本考案の照明機能付き化粧ペンによれば、化粧液容器１０と化粧ペン本体１２とを分離するだけで、発光体１４が自動的に発光するので、使用の便利性が極めて高い。
【００２２】
また、本考案の電源は電池を使用するので、電池の交換が便利であり、小型化および軽量化にすることができ、携帯性が極めて高い。
【図面の簡単な説明】
【００２３】
【図１】本考案の外観斜視図である。
【図２】本考案の分解斜視図である。
【図３】本考案の組合状態の断面図である。
【図４】本考案の作動状態を示す概略図である。
【図４Ａ】本考案を作動した後の一部の断面図である。
【図５】従来の化粧機能付き化粧ケースの断面概略図である。
【符号の説明】
【００２４】
１０      化粧液容器 
１１      ゴムスリーブ
１２      化粧ペン本体
１３      シールリング
１４      発光体
１５      電池
１６      弾性子
１７      カバー
２０      キャップ
２１      化粧ペン本体
２２      発光装置
１０１    鏡
１０２    収容空間
１０３    ケース上部
１０４    円形チューブ
１１１    チューブ
１１２    貫通孔
１１３    凸縁
１２１    台座
１２２    位置決め用台座
１２３    化粧ペンロッド
１２４    化粧子
１３１    軸穴
１３２    ピン
１４１    正電極
１４２    負電極
１７１    収容空間
２０１    鏡
２１１    貫通孔
２２１    トリガー
２２２    発光体
２２３    電池組
１０４１  貫通孔
１２１１  ねじ穴
１２２１  長形切り欠
１２１２  貫通孔
１２１３  貫通孔
【図１】
0003138176.tif 000003
【図２】
0003138176.tif 000004
【図３】
0003138176.tif 000005
【図４】
0003138176.tif 000006
【図４Ａ】
0003138176.tif 000007
【図５】
0003138176.tif 000008
【手続補正書】
【提出日】平成19年10月16日(2007.10.16)
【手続補正１】
【補正対象書類名】実用新案登録請求の範囲
【補正対象項目名】請求項１
【補正方法】変更
【補正の内容】
【請求項１】
収容空間を有し、外側に向いている円形チューブが設けてある化粧液容器と、
台座を含み、前記台座の一面には前記円形チューブと螺合するねじ穴が設けてあり、前記ねじ穴内の底面の周縁には反対方向へ伸びた貫通孔が少なくとも一つ開設してあり、前記ねじ穴内の底面には外側に向いている化粧ペンロッドが設けてあり、前記化粧ペンロッドの自由端部に化粧子が設けてある化粧ペン本体と、
前記化粧ペンロッドに嵌め設けられるか又は前記ねじ穴内に設けられ、前記貫通孔に対応するピンが周縁の一側面に設けてあり、前記ピンは前記貫通孔を貫通して外側に突出可能であり、前記ピンの外側に突出する高さが隙間になる、弾性を有するシールリングと、
前記化粧ペンロッドの方向に沿って前記台座を貫通し、他端に正負電極が設けてあり、前記正負電極のうちの一つが前記台座のねじ穴の他端面の隙間に貼り付けられる少なくとも一つの発光体と、
一面が前記ピンに当接し、前記正負電極のうちの前記発光体に貼り付けられない電極と接触する電池と、
一端が前記電池の自由端面に当接する少なくとも一つの弾性子と、
収容空間が凹設してあり、前記弾性子から前記台座にかけてそれらをカバーし、前記台座と嵌合し位置決められ、且つ前記弾性子が前記収容空間内の底面に押付けられるカバーと、を含むことを特徴とする、照明機能付き化粧ペン。
【手続補正２】
【補正対象書類名】明細書
【補正対象項目名】０００５
【補正方法】変更
【補正の内容】
【０００５】
上記欠点を解決するためになされた本願の考案は、収容空間を有し、外側に向いている円形チューブが設けてある化粧液容器と、
台座を含み、前記台座の一面には前記円形チューブと螺合するねじ穴が設けてあり、前記ねじ穴内の底面の周縁には反対方向へ伸びた貫通孔が少なくとも一つ開設してあり、前記ねじ穴内の底面には外側に向いている化粧ペンロッドが設けてあり、前記化粧ペンロッドの自由端部に化粧子が設けてある化粧ペン本体と、
前記化粧ペンロッドに嵌め設けられるか又は前記ねじ穴内に設けられ、前記貫通孔に対応するピンが周縁の一側面に設けてあり、前記ピンは前記貫通孔を貫通して外側に突出可能であり、前記ピンの外側に突出する高さが隙間になる、弾性を有するシールリングと、
前記化粧ペンロッドの方向に沿って前記台座を貫通し、他端に正負電極が設けてあり、前記正負電極のうちの一つが前記台座のねじ穴の他端面の隙間に貼り付けられる少なくとも一つの発光体と、
一面が前記ピンに当接し、前記正負電極のうちの前記発光体に貼り付けられない電極と接触する電池と、
一端が前記電池の自由端面に当接する少なくとも一つの弾性子と、
収容空間が凹設してあり、前記弾性子から前記台座にかけてそれらをカバーし、前記台座と嵌合し位置決められ、且つ前記弾性子が前記収容空間内の底面に押付けられるカバーと、
を含むことを特徴とする照明機能付き化粧ペンであることを要旨としている。